(57)【要約】      （修正有）【課題】カロリーに着目した食品選びが行いやすいように食品が陳列された棚、カタログ、メニュー、食品群を提供する。【解決手段】食品が陳列された棚１０−１であって、カロリーの値に応じて複数のカロリー別グループ５０−０に分類された食品が、当該食品の属するカロリー別グループに対応付けられたカロリー別食品展示エリアに陳列されている。複数の食品を含む食品群であって、カロリーの値に応じて複数のカロリー別グループに分類された食品に、当該食品の属するカロリー別グループを識別するための数値、文字、図形、模様、色彩の少なくとも１つが付されたタグ、またはシール、または包装紙が付されている。食品の情報が掲載されたカタログであって、カロリーの値に応じて複数のカロリー別グループに分類された食品の情報が、当該食品の属するカロリー別グループに対応付けられたカロリー別食品掲載エリアに掲載されている。【選択図】図１
0003131939.tif 000002
【実用新案登録請求の範囲】
【請求項１】
食品が陳列された棚であって、
カロリーの値に応じて複数のカロリー別グループに分類された食品が、当該食品の属するカロリー別グループに対応付けられたカロリー別食品展示エリアに陳列されていることを特徴とする食品が陳列された棚。
【請求項２】
請求項１において、
カロリー別グループに分類された各食品には、属するカロリー別グループを識別するための数値、文字、図形、模様、色彩の少なくとも１つが付されたタグまたはシールまたは包装紙が付されていることを特徴とする食品が陳列された棚。
【請求項３】
請求項１において、
カロリー別食品展示エリア毎に異なる色彩または模様が付されていることを特徴とする食品が陳列された棚。
【請求項４】
複数の食品を含む食品群であって、
カロリーの値に応じて複数のカロリー別グループに分類された食品に、当該食品の属するカロリー別グループを識別するための数値、文字、図形、模様、色彩の少なくとも１つが付されたタグまたはシールまたは包装紙が付されていることを特徴とする食品群。
【請求項５】
食品の情報が掲載されたカタログであって、
カロリーの値に応じて複数のカロリー別グループに分類された食品の情報が、当該食品の属するカロリー別グループに対応付けられたカロリー別食品掲載エリアに掲載されていることを特徴とするカタログ。
【請求項６】
請求項５において、
カロリー別食品掲載エリア毎に異なる色彩または模様が付されていることを特徴とするカタログ。
【考案の詳細な説明】
【技術分野】
【０００１】
本考案は、食品がカロリーの値に応じて複数のカロリー別グループに分類して陳列された棚、カタログ、複数のカロリー別グループに分類された食品群に関する。
【背景技術】
【０００２】
近年ダイエットブームを迎えている中、忙しい人たちは、自炊もままならず、外食中心の食生活を送っている。
【考案の開示】
【考案が解決しようとする課題】
【０００３】
しかしダイエットを試みる消費者たちにとって、外食の際、どの食品を選べば目的とするカロリーになるかがわからず、その結果、ダイエットを継続することが非常に困難になっている。
【０００４】
また、カロリー表示のある食品でも、裏側に小さく書いてあるカロリーをいちいち見ていてはカロリー計算が煩わしく、ダイエット継続が困難である。
【０００５】
本考案は、上記の課題に鑑みなされたものであり、その目的はカロリーに着目した食品選びが行いやすいように食品が陳列された棚、カタログ、メニュー、食品群を提供することである。
【課題を解決するための手段】
【０００６】
（１）本考案は、
食品が陳列された棚であって、
カロリーの値に応じて複数のカロリー別グループに分類された食品が、当該食品の属するカロリー別グループに対応付けられたカロリー別食品展示エリアに陳列されていることを特徴とする。
【０００７】
（２）本考案の食品が陳列された棚は、
カロリー別グループに分類された各食品には、属するカロリー別グループを識別するための数値、文字、図形、模様、色彩の少なくとも１つが付されたタグまたはシールまたは包装紙が付されていることを特徴とする。
【０００８】
（３）本考案の食品が陳列された棚は、
カロリー別食品展示エリア毎に異なる色彩または模様が付されていることを特徴とする。
【０００９】
（４）本考案は、
複数の食品を含む食品群であって、
カロリーの値に応じて複数のカロリー別グループに分類された食品に、当該食品の属するカロリー別グループを識別するための数値、文字、図形、模様、色彩の少なくとも１つが付されたタグまたはシールまたは包装紙が付されていることを特徴とする。
【００１０】
（５）本考案は、
食品の情報が掲載されたカタログであって、
カロリーの値に応じて複数のカロリー別グループに分類された食品の情報が、当該食品の属するカロリー別グループに対応付けられたカロリー別食品掲載エリアに掲載されていることを特徴とする。
【００１１】
（６）本考案のカタログは、
カロリー別食品掲載エリア毎に異なる色彩または模様が付されていることを特徴とする。
【考案を実施するための最良の形態】
【００１２】
以下、本考案の好適な実施の形態について図面を用いて説明する。
【００１３】
なお、以下に説明する本実施の形態は、実用新案請求の範囲に記載された本考案の内容を何ら限定するものではない。
【００１４】
図１から図６、図８〜図１１は本実施の形態の棚及び食品群の一例について説明するための図である。
【００１５】
図１から図６に示す本実施の形態の棚１０−１、１０−２は、食品７０−１〜７０−１２が陳列された棚であって、複数のカロリー別食品展示エリア２０−１〜２０−１２が設けられ、カロリーの値に応じて複数のカロリー別グループに分類された食品７０−１〜７０−１２が、当該食品の属するカロリー別グループに対応付けられたカロリー別食品展示エリア２０−１〜２０−１２に陳列されている。
【００１６】
また図１から図６に示す本実施の形態の食品群は、複数の食品４０−０、４０−１、４０−２、・・・を含む食品群であって、カロリーの値に応じて複数のカロリー別グループ５０−０、５０−１、５０−２、・・・に分類された食品に、当該食品の属するカロリー別グループを識別するための数値、文字、図形、模様、色彩の少なくとも１つが付されたタグまたはシールまたは包装紙が付されている。
【００１７】
ここで食品７０−１〜７０−１２とは、コンビニエンスストアやスーパーマーケットや総菜屋やファーストフードや宅配料理屋やレストラン等で販売されている食品、例えば加工が必要なものは加工が施してありすぐに食べられるように個別包装してある食品やパンやおにぎりやお弁当（どんぶり物、麺類を含む）や総菜（肉、煮物、サラダ、スープ）や菓子や飲み物（清涼飲料、アルコール、スープ等）である。
【００１８】
棚１０−１、１０−２は食品７０−１〜７０−１２が展示される１又は複数の棚であり、物理的に独立して配置されている棚の集合も含む。例えば図１〜図６に示すように１つの棚に複数のカロリー別食品展示エリアを設定して使用する形態でもよい。
【００１９】
また図８〜図１１に示すように複数の棚１２−１、１２−２、１２−３の集合において、各棚毎に異なるカロリー別グループ５２−０、５２−１、・・・を割り当てる形態（１つの棚には１つのカロリー別グループに対応したカロリー別食品展示エリアが設けられている）でもよい。
【００２０】
図８〜図１１では棚１２−１が０カロリーのカロリー別グループ５２−０に属するカロリー別食品展示エリア２２−０であり、棚１２−２が２００カロリーのカロリー別グループ５２−１に属するカロリー別食品展示エリア２２−１であり、棚１２−２が４００カロリーのカロリー別グループ５２−２に属するカロリー別食品展示エリア２２−２である。
【００２１】
ここにおいてカロリーとは、食品の持つ栄養価としての生理的熱量そのものの意味である。
【００２２】
カロリーの値に応じて複数のカロリー別グループに分類するとは、販売または提供単位の食品自体をｋ、２ｋ、・・・ｎｋカロリー（例えばｋ＝５０calやｋ＝８０calとしてもよい）となるように製造して、各食品をカロリーの値がｋ、２ｋ、・・・ｎｋとなるような複数のグループに分類するようにしてもよい。
【００２３】
図１においては、カロリー別食品展示エリア２０−ｎは、ｎｋのカロリー別グループに対応している。ここでｎ＝０，１，２，・・・ｋ＝５０カロリーとすれば、カロリー別食品展示エリア２０−０は０カロリーのカロリー別グループに属する食品が展示され、カロリー別食品展示エリア２０−１は５０カロリーのカロリー別グループに属する食品が展示され、カロリー別食品展示エリア２０−２は１００カロリーのカロリー別グループに属する食品が展示される。
【００２４】
このようにするとすべての食品が必ずｋ、２ｋ、・・・ｎｋカロリーのいずれかの値となるので、選択又は購入した食品のカロリーの合計値の計算や把握が飛躍的に容易になる。
【００２５】
なお販売または提供単位の食品自体をｋ、２ｋ、・・・ｎｋカロリーとなるように製造して、そのときのｋに応じて複数のカロリー別グループを設定するようにしても良い。
【００２６】
同じカロリー別グループに属する食品は一カ所に集中して又は近接して展示されるようにカロリー別食品展示エリアを設けても良い。例えば図１に示すように棚の段毎に異なるカロリー別食品展示エリアを設定したり、図８に示すように棚の毎に異なるカロリー別食品展示エリアを設定したりすると、同じ段や棚におかれている食品は同じカロリーあると把握しやすいので、カロリーの値に着目した食品選びが行いやすくなる。
【００２７】
ただし同じカロリー別グループに属していても例えば要冷蔵のものと冷蔵の必要の無いものとでは離れた場所に展示する必要がある場合もあるので、必要に応じて同じカロリー別食品展示エリアを分散して配置設定する場合も本考案の範囲内である。
【００２８】
本実施の形態では、肉、煮物、サラダ、スープ、麺類、丼物、パン類などのメニューや商品の種類に関係なく、一律にカロリーの値だけでカロリー別グループにグループ分けする。
【００２９】
グループ分けは、段階的に大きさの異なるカロリーのグループを設定し、食品のカロリーによって属するグループを決定するようにしてもよい。各グループは例えば５０カロリーのグループ、１００カロリーのグループ、・・というように段階的に異なる代表カロリー値を設定して代表カロリー値毎にグループ化してもよい。この場合各グループを、そのグループの代表カロリー値ジャストな値のカロリー値の食品だけで構成するようにしても良いし、代表カロリー値の所定範囲内の食品も含んで構成するようにしてもよい。前者の場合には、食品の提供単位自体が代表カロリー値単になるように食品供給ラインを用意しておくとよい。
【００３０】
本実施の形態では、食品がカロリー別グループに分けられ、棚にはカロリー別グループ毎に展示されているので、カロリーの値に着目した食品選択を行いやすい。
【００３１】
カロリー別グループに分類された各食品には、属するカロリー別グループを識別するための数値、文字、図形、模様、色彩の少なくとも１つが付されたタグまたはシールまたは包装紙が付すようにしてもよい。
【００３２】
数値はカロリー値そのもので合っても良いし、カロリーの値に比例して設定される数値（例えば８０カロリーを１点として換算する場合の点数値、１６０カロリーであれば２点、２４０カロリーであれば３点等）でもよい。
【００３３】
また文字は、カロリーの値を示す文字表記でもよいし、カロリー別グループと一義的に対応した文字列でもよい。
【００３４】
また図形は、カロリー別グループと一義的に対応した図形でもよい。
【００３５】
また例えば所与の図形（星や丸その他の図形）を各カロリー別グループ毎のカロリー値に比例した数だけ配置した図形の集合でもよい。
【００３６】
また色彩の場合には、各カロリー別グループ毎に異なる色彩を対応付けて、対応付けられた色彩のタグやシールや包装紙を食品に付すようにしてもよいし、各カロリー別グループ毎に濃淡の異なるタグやシールや包装紙を食品に付すようにしてもよい。
【００３７】
図７（Ａ）（Ｂ）（Ｃ）は、それぞれ食品にシールを付する場合、食品にタグを付する場合、食品に包装紙を付する場合（包装紙で包装する場合）を示した図である。
【００３８】
図７（Ａ）では、属するカロリー別グループを識別するための図形（星が１つの図形であり、５０カロリーのカロリー別グループに属することを示す図形）が印刷されたシール１１０が食品１２０−１（５０カロリーの食品）に付される様子を示している。シールは食品に接着される紙やプラスチック製の小片であり、属するカロリー別グループを識別するための数値、文字、図形、色彩の少なくとも１つが付されている。
【００３９】
図７（Ｂ）では、属するカロリー別グループを識別するための色（０カロリーのカロリー別グループに属することを示す色）が印刷されたタグ１３０が食品１２０−０（０カロリーの食品）に付される様子を示している。タグは食品に付される紙やプラスチック製の下げ札でありであり、属するカロリー別グループを識別するための数値、文字、図形、色彩の少なくとも１つが付されている。
【００４０】
図７（Ｃ）では、属するカロリー別グループを識別するための濃さの色（５０カロリーのカロリー別グループに属することを示す濃さの色、色はカラーでもよいし、モノクロでも良い）である包装紙で食品１２０−１（５０カロリーの食品）に包装される様子を示している。包装紙は食品の一部または全部を包むための紙やビニール等であり、属するカロリー別グループを識別するための数値、文字、図形、色彩の少なくとも１つが付されている。
【００４１】
図１は、食品の属するカロリー別グループのカロリー値を表示したシールやタグや包装紙を付した食品が棚に展示されている様子を示している。例えば５０カロリーのカロリー別グループの食品には５０kcalと表示されたシールやタグや包装紙を付し、１００カロリーのカロリー別グループの食品には１００kcalと表示されたシールやタグや包装紙を付すようにしてもよい。
【００４２】
また図２は、食品の属するカロリー別グループのカロリー値に対応した数値（カロリー値そのもの値でもよいし、カロリー値に比例した数値でもよい）を表示したシールやタグや包装紙を付した食品が棚に展示されている様子を示している。例えば５０カロリーのカロリー別グループの食品には５０と表示されたシールやタグや包装紙を付し、１００カロリーのカロリー別グループの食品には１００と表示されたシールやタグや包装紙を付すようにしてもよい。
【００４３】
また例えば図３や図８は食品の属するカロリー別グループのカロリー値に対応した数の図形（ここでは星印）を表示したシールやタグや包装紙を付した食品が棚に展示されている様子を示している。例えば５０カロリーのカロリー別グループの食品には星印が１つ表示されたシールやタグや包装紙を付し、１００カロリーのカロリー別グループの食品には星印が２つ表示されたシールやタグや包装紙を付すようにしてもよい。
【００４４】
このようにすると図形（ここでは星）の数で容易にカロリーを判断でき、食品の合計カロリーを算出する際にも図形（ここでは星）の数で計算することによりより簡略化した計算が行えるので、消費者がカロリーに着目した食品選択が行いやすいという利点がある。
【００４５】
また例えば図４や図９は食品の属するカロリー別グループ毎に異なる図形を表示したシールやタグや包装紙を付した食品が棚に展示されている様子を示している。例えば５０カロリーのカロリー別グループの食品には白三角が表示されたシールやタグや包装紙を付し、１００カロリーのカロリー別グループの食品には黒三角が表示されたシールやタグや包装紙を付すようにしてもよい。
【００４６】
また例えば図５や図１０は食品の属するカロリー別グループ毎に異なる色彩のシールやタグや包装紙を付した食品が棚に展示されている様子を示している。例えば５０カロリーのカロリー別グループの食品には第１の色（例えば青）のシールやタグや包装紙を付し、１００カロリーのカロリー別グループの食品には第２の色のシール（例えば黄色）やタグや包装紙を付すようにしてもよい。
【００４７】
このようにするとシールやタグや包装紙の色で容易にカロリーを判断できるので、消費者がカロリーに着目した食品選択が行いやすいという利点がある。
【００４８】
また例えば図６は食品の属するカロリー別グループ毎に濃淡の異なるタグや包装紙を付した食品が棚に展示されている様子を示している。例えばよりカロリーの高いカロリー別グループになるほど濃い色のシールやタグや包装紙を付すようにしてもよい。
【００４９】
図６ではカロリー別食品展示エリア３０−０に対応するカロリー別食品グループのカロリー＜カロリー別食品展示エリア３０−１に対応するカロリー別食品グループのカロリー＜カロリー別食品展示エリア３０−２に対応するカロリー別食品グループのカロリー＜カロリー別食品展示エリア３０−３に対応するカロリー別食品グループのカロリーとなっているので、カロリー別食品展示エリア３０−０に対応するカロリー別食品グループのタグやシールや包装紙の濃さ＜カロリー別食品展示エリア３０−１に対応するカロリー別食品グループのタグやシールや包装紙の濃さ＜カロリー別食品展示エリア３０−２に対応するカロリー別食品グループのタグやシールや包装紙の濃さ＜カロリー別食品展示エリア３０−３に対応するカロリー別食品グループのタグやシールや包装紙の濃さとなる。
【００５０】
本実施の形態によれば各食品には、属するカロリー別グループを識別するための数値、文字、図形、色彩の少なくとも１つが付されたタグまたはシールまたは包装紙が付されているので、食品に付されたタグやシールや包装紙によって、当該食品がどのカロリー別グループに属するかを容易に把握することができる。従って食品が棚に展示されていない状態でも食品の属するカロリー別グループを間違いなく把握できる。
【００５１】
図１１は、カロリー別食品展示エリア毎に異なる色彩を施した棚の例を示してている。すなわち、０カロリーのカロリー別グループに対応したカロリー別食品展示エリア２２−０（ここでは棚１２−１）には第１の色（例えば青）が施されており、２００カロリーのカロリー別グループに対応したカロリー別食品展示エリア２２−１（ここでは棚１２−２）には第２の色（例えば黄色）が施されており、４００カロリーのカロリー別グループに対応したカロリー別食品展示エリア２２−２（ここでは棚１２−３）には第３の色（例えば赤）が施されている。このようにすると棚または棚の各エリアに施された色に基づきそのエリアに展示された食品がどのカロリー別グループに属するかを瞬時にして把握することができる。
【００５２】
ここで、カロリー別グループ毎に対応するカロリー別食品展示エリアの棚の色と食品に付すタグやシールや包装紙の色を同じ色とすると、一旦棚から取った食品を戻すときにも戻し間違いがおこりにくく、たとえ戻し違いや配置違いがあっても容易に発見することができる。
【００５３】
なお上記実施の形態では、棚毎に異なるカロリー別グループに対応させる場合を例にとり説明したがこれに限られない。例えば図１から図６に示すように１つの棚に複数のカロリー別食品展示エリアを設定して、カロリー別食品展示エリア毎に異なる色彩や模様を施すようにしてもよい。
【００５４】
本実施の形態によれば棚自体にカロリー別グループ毎に異なる色彩または模様が付されているので、どのエリアがどのカロリー別グループであるのか、視覚的に瞬時に把握可能である。
【００５５】
図１２は、本実施の形態のメニュー（カタログの一種）について説明するための図である。
【００５６】
本実施の形態のメニュー（カタログの一種）２００は、食品や提供される食事、料理の情報が掲載されたものであり、媒体は紙やプラスチックでもよいし、表示部に表示される画像でもよい。
【００５７】
本実施の形態のメニュー（カタログの一種）２００は、１又は複数のカロリー別食品掲載エリア２５０−０〜２５０−９が設けられ、カロリーの値に応じて複数のカロリー別グループに分類された食品２４０−０〜２４０−９の情報が、当該食品の属するカロリー別グループに対応付けられたカロリー別食品掲載エリアに掲載されている。
【００５８】
食品の情報とは例えば、食品の名前や、料理の名前、食品や料理に関する図（写真や絵や画像）、値段等の情報である。
【００５９】
図１２においては、カロリー別食品掲載エリア２５０−ｎは、ｎｋのカロリー別グループに対応している。ここでｎ＝０，１，２，・・・ｋ＝５０カロリーとすれば、カロリー別食品展示エリア２５０−０には０カロリーのカロリー別グループに属する食品の情報が掲載され、カロリー別食品掲載エリア２５０−１には５０カロリーのカロリー別グループに属する食品の情報が掲載され、カロリー別食品掲載エリア２５０−ｎは５０×ｎカロリーのカロリー別グループに属する食品の情報が掲載される。
【００６０】
本実施の形態によればカロリー別グループ毎にカロリー別食品掲載エリアを設けて食品メニューを掲載することにより、消費者がカロリーに着目した食品メニュー選択が行いやすいという利点がある。
【００６１】
またすべての食品が必ずｋ、２ｋ、・・・ｎｋカロリーのいずれかの値となるので、選択又は購入した食品のカロリーの合計値の計算や把握が飛躍的に容易になる。
【００６２】
なお販売または提供単位の食品や料理自体をｋ、２ｋ、・・・ｎｋカロリーとなるようにして、そのときのｋに応じて複数のカロリー別グループを設定するようにしても良い。
【００６３】
また１又は複数のカロリー別食品掲載エリア２５０−ｎに、当該カロリー別食品掲載示エリア毎に異なる色彩または模様を付すようにしてもよい。
【００６４】
なお上記実施の形態では１つのメニューが複数のカロリー別食品掲載エリア２５０−ｎに分割されている場合を例にとり説明したがこれに限られない。例えばカロリー別食品グループ毎にメニュー自体の冊子が別個になっている構成でも良いし、カロリー別食品グループ毎に１つの冊子の異なる頁が割り当てられている構成でもよい。
【００６５】
なお図１２ではカタログの一例としてレストランのメニューを例にとり説明したがこれに限られない。例えばカタログには、レストラン等の注文用の食品が掲載されたメニューのほか、出前や宅配、郵便、インターネットや携帯電話で注文するための食事メニューや食品情報が掲載されたチラシやダイレクトメール等でもよい。
【００６６】
本考案の食品が陳列された棚、食品群、カタログによれば、消費者はカロリーに着目した食品選び用意に行えるようになり、購入または注文した食品の合計カロリーをも容易に計算することが可能である。このため外食中心の消費者でもカロリー管理が容易となり消費者のダイエットの遂行を大きく助けることができる。
【図面の簡単な説明】
【００６７】
【図１】本実施の形態の食品が陳列された棚及び食品群の一例について説明するための図。
【図２】本実施の形態の食品が陳列された棚及び食品群の一例について説明するための図。
【図３】本実施の形態の食品が陳列された棚及び食品群の一例について説明するための図。
【図４】本実施の形態の食品が陳列された棚及び食品群の一例について説明するための図。
【図５】本実施の形態の食品が陳列された棚及び食品群の一例について説明するための図。
【図６】本実施の形態の食品が陳列された棚及び食品群の一例について説明するための図。
【図７】図７（Ａ）（Ｂ）（Ｃ）は、それぞれ食品にシールを付する場合、食品にタグを付する場合、食品に包装紙を付する場合（包装紙で包装する場合）を示した図。
【図８】本実施の形態の食品が陳列された棚及び食品群の一例について説明するための図。
【図９】本実施の形態の食品が陳列された棚及び食品群の一例について説明するための図。
【図１０】本実施の形態の食品が陳列された棚及び食品群の一例について説明するための図。
【図１１】本実施の形態の食品が陳列された棚及び食品群の一例について説明するための図。
【図１２】本実施の形態のメニュー（カタログの一例）について説明するための図。
【符号の説明】
【００６８】
１０−１、１０−２  棚、１２−１、１２−２、１２−３  食品が陳列された棚、２０−０、２０−１、・・カロリー別食品展示エリア、２２−０、２２−１、・・カロリー別食品展示エリア、３０−０、３０−１、・・カロリー別食品展示エリア、４０−１、４０−２、・・食品、５０−０、５０−１、・・カロリー別グループ、５２−０、５２−１、・・カロリー別グループ、１１０  シール、１２０−０、１２０−１  食品、１３０  タグ、１４０  包装紙、２００  メニュー（カタログ）
【図１】
0003131939.tif 000003
【図２】
0003131939.tif 000004
【図３】
0003131939.tif 000005
【図４】
0003131939.tif 000006
【図５】
0003131939.tif 000007
【図８】
0003131939.tif 000008
【図９】
0003131939.tif 000009
【図１０】
0003131939.tif 000010
【図１１】
0003131939.tif 000011
【図６】
0003131939.tif 000012
【図７】
0003131939.tif 000013
【図１２】
0003131939.tif 000014
【手続補正書】
【提出日】平成19年3月14日(2007.3.14)
【手続補正１】
【補正対象書類名】実用新案登録請求の範囲
【補正対象項目名】全文
【補正方法】変更
【補正の内容】
【実用新案登録請求の範囲】
【請求項１】
食品が陳列された棚であって、
カロリーの値に応じて複数のカロリー別グループに分類された食品が、当該食品の属するカロリー別グループに対応付けられたカロリー別食品展示エリアに陳列されていることを特徴とする食品が陳列された棚。
【請求項２】
請求項１において、
カロリー別グループに分類された各食品には、属するカロリー別グループを識別するための数値、文字、図形、模様、色彩の少なくとも１つが付されたタグまたはシールまたは包装紙が付されていることを特徴とする食品が陳列された棚。
【請求項３】
請求項１において、
カロリー別食品展示エリア毎に異なる色彩または模様が付されていることを特徴とする食品が陳列された棚。
【請求項４】
カロリーの値に応じて、第１のカロリー別グループ、第２のカロリー別グループを含む複数のカロリー別グループに分類された食品群であって、
当該食品の属するカロリー別グループが第１のカロリー別グループであることを識別するための数値、文字、図形、模様、色彩の少なくとも１つが付されたタグまたはシールまたは包装紙が付されている食品からなる第１のカロリー別グループの食品群と、
当該食品の属するカロリー別グループが第２のカロリー別グループであることを識別するための数値、文字、図形、模様、色彩の少なくとも１つが付されたタグまたはシールまたは包装紙が付されている食品からなる第２のカロリー別グループの食品群と、
を含むことを特徴とする食品群。